(57)【特許請求の範囲】
【請求項１】
カラオケ楽曲の演奏及び歌詞テロップの表示を継続させながら、当該カラオケ楽曲の演奏に伴い表示される背景映像を、利用者の指示に応じて任意のタイミングで静止表示可能とし、当該静止表示指示タイミングを評価するためのシステムであって、背景映像静止表示手段と、基準静止表示タイミングデータベースと、静止表示指示タイミング評価手段と、評価結果出力手段と、を備え、
前記背景映像静止表示手段は、利用者の指示に応じた静止表示指示タイミングで、表示中の背景映像を静止表示させ、
前記基準静止表示タイミングデータベースは、背景映像毎にその基準静止表示タイミングを記憶し、
前記静止表示指示タイミング評価手段は、前記静止表示指示タイミングと、現に演奏されているカラオケ楽曲に対応した背景映像の基準静止表示タイミングとの差違に基づく評価値を算出し、
前記評価結果出力手段は、前記評価値に基づく評価結果を出力する、
ことを特徴とするカラオケ背景映像の静止表示指示タイミング評価システム。
【請求項２】
静止表示指示タイミング記憶手段と、静止表示指示タイミング統計手段と、基準静止表示タイミング更新手段と、をさらに備え、
前記静止表示指示タイミング記憶手段は、カラオケ楽曲が演奏される毎に、指示された静止表示指示タイミングを背景映像に対応させて記憶させ、
前記静止表示指示タイミング統計手段は、前記記憶した静止表示指示タイミングの統計値を背景映像毎に算出し、
前記基準静止表示タイミング更新手段は、前記統計値に応じて、前記背景映像毎に前記基準静止表示タイミングを更新する、
ことを特徴とする請求項１に記載のカラオケ背景映像の静止表示指示タイミング評価システム。
【発明の詳細な説明】
【技術分野】
【０００１】
本発明は、カラオケ楽曲の演奏を中止することなく、カラオケ楽曲の演奏及び歌詞テロップの表示を継続させながら、当該カラオケ楽曲の演奏に伴い表示される背景映像を、利用者の指示に応じて任意のタイミングで静止表示可能とし、当該静止表示指示タイミングを評価するためのカラオケ背景映像の静止表示指示タイミング評価システムに関するものである。
【背景技術】
【０００２】
現在普及しているカラオケシステムは、カラオケ楽曲の演奏に合わせて背景映像を表示すると共に、この背景映像に歌詞テロップをスーパーインポーズ表示して、歌唱の雰囲気を高めると共に、歌唱の補助を行っている。
【０００３】
ところで、連続して表示される背景映像の中に、利用者が気に入った映像カットがあった場合には、当該背景映像を十分に楽しみたいという要望がある。しかしながら、現在のカラオケシステムには、背景映像のみを静止表示させるための仕組みはなく、背景映像を静止表示させるためには楽曲の演奏及び歌詞テロップの表示を停止させなければならない。これでは、歌唱を中断せざるを得ず、歌唱者が歌唱を楽しむというカラオケ本来の目的に反することになる。
【０００４】
カラオケシステムに関する技術ではないが、セルフポートレート撮影印刷装置において、利用者が気に入ったポーズを選定することができるようにした技術が開示されている（特許文献１参照）。この特許文献１に記載された技術は、人物のモーション映像を記録すると共に、自在に再生して静止ポーズを抽出できるようにしたものである。すなわち、連続的に画像を撮影しておき、利用者が気に入った箇所で静止ポーズ画像を抽出する技術であるが、これをそのまま上述したカラオケシステムに適用することはできない。
【先行技術文献】
【特許文献】
【０００５】
【特許文献１】特開平１１−５５６５９号公報
【発明の概要】
【発明が解決しようとする課題】
【０００６】
上述したように、カラオケ楽曲の演奏に伴い連続して表示される背景映像の中に、利用者が気に入った映像カットがあった場合には、当該背景映像を十分に楽しみたいという要望がある。さらに、このような背景映像の静止表示指示タイミングについて、利用者が静止表示を指示したタイミングをシャッタータイミングとみなし、当該シャッタータイミングに関するセンスを競うというゲームを楽しむことも考えられる。例えば、予めセンスが良いとした基準シャッタータイミングを設定しておき、この基準シャッタータイミングで背景映像を静止表示させた場合には高評価を得ることができ、これ以外のシャッタータイミングで背景映像を静止表示させた場合には高評価を得られないというようなゲームである。
【０００７】
このようなゲームでは、予め基準となるシャッタータイミングを設定したリファレンスデータを用意し、利用者が静止表示を指示したタイミングと、リファレンスデータとを比較して、評価を行うことが考えられる。しかし、必ずしも、予め設定したリファレンスデータが利用者全般の嗜好を反映しているとは限らず、適切な評価を行うことができない場合もある。
【０００８】
本発明は、上述した事情に鑑み提案されたもので、カラオケ楽曲の演奏及び歌詞テロップの表示を継続させながら、当該カラオケ楽曲の演奏に伴い表示される背景映像を、利用者の指示に応じて任意のタイミングで静止表示可能とし、当該静止表示指示タイミングを評価するためのカラオケ背景映像の静止表示指示タイミング評価システムを提供することを目的とする。
【０００９】
また、本発明は、利用者全般の嗜好を反映した基準静止表示停止タイミングを設定することが可能なカラオケ背景映像の静止表示指示タイミング評価システムを提供することを目的とする。
【課題を解決するための手段】
【００１０】
本発明のカラオケ背景映像の静止表示指示タイミング評価システムは、上述した目的を達成するため、以下の特徴点を有している。すなわち、本発明のカラオケ背景映像の静止表示指示タイミング評価システムは、カラオケ楽曲の演奏及び歌詞テロップの表示を継続させながら、当該カラオケ楽曲の演奏に伴い表示される背景映像を、利用者の指示に応じて任意のタイミングで静止表示可能とし、当該静止表示指示タイミングを評価するためのシステムであって、背景映像静止表示手段と、基準静止表示タイミングデータベースと、静止表示指示タイミング評価手段と、評価結果出力手段とを備えたことを特徴とするものである。
【００１１】
背景映像静止表示手段は、利用者の指示に応じた静止表示指示タイミングで、表示中の背景映像を静止表示させるための手段である。基準静止表示タイミングデータベースは、背景映像毎にその基準静止表示タイミングを記憶したデータベースである。静止表示指示タイミング評価手段は、静止表示指示タイミングと、現に演奏されているカラオケ楽曲に対応した背景映像の基準静止表示タイミングとの差違に基づく評価値を算出するための手段である。評価結果出力手段は、評価値に基づく評価結果を出力するための手段である。
【００１２】
また、上記した構成に加えて、静止表示指示タイミング記憶手段と、静止表示指示タイミング統計手段と、基準静止表示タイミング更新手段とをさらに備えることが可能である。静止表示指示タイミング記憶手段は、カラオケ楽曲が演奏される毎に、指示された静止表示指示タイミング（時系列的な位置データ）を背景映像に対応させて記憶するための手段である。静止表示指示タイミング統計手段は、記憶した静止表示指示タイミングの統計値を背景映像毎に算出するための手段である。基準静止表示タイミング更新手段は、統計値に応じて、背景映像毎に基準静止表示タイミングを更新するための手段である。
【００１３】
このような構成からなるカラオケ背景映像の静止表示指示タイミング評価システムでは、背景映像静止表示手段の機能により、カラオケ楽曲を演奏中に、同時に表示されている背景映像を利用者の指示に応じて静止表示させる。この際、背景映像のみが静止表示され、カラオケ楽曲の演奏及び歌詞テロップの表示はそのまま進行する。
【００１４】
基準静止表示タイミングデータベースには、背景映像の基準静止表示タイミングが、背景映像毎に記憶されている。そして、背景映像が静止表示されると、静止表示指示タイミング評価手段の機能により、静止表示指示タイミングと現に演奏されているカラオケ楽曲に対応した背景映像の基準静止表示タイミングとを比較して、その差違に基づく評価値を算出する。算出された評価値は、評価結果出力手段の機能により評価結果として出力される。評価結果は、表示装置の表示画面に表示されたり、スピーカから音声出力されたりする。
【００１５】
また、静止表示指示タイミング記憶手段と、静止表示指示タイミング統計手段と、基準静止表示タイミング更新手段とを備えた場合には、利用者により指示された静止表示指示タイミングの統計値に基づいて、基準静止表示タイミングが更新される。すなわち、静止表示指示タイミング記憶手段の機能により、カラオケ楽曲が演奏される毎に、利用者により指示された静止表示指示タイミングを背景映像に対応させて記憶する。そして、静止表示指示タイミング統計手段の機能により、記憶した静止表示指示タイミングに基づいて、背景映像毎に静止表示指示タイミングの統計値を算出する。さらに、基準静止表示タイミング更新手段の機能により、当該統計値を用いて、背景映像毎に基準静止表示タイミングを更新して、利用者の嗜好を反映する。
【発明の効果】
【００１６】
本発明のカラオケ背景映像の静止表示指示タイミング評価システムによれば、カラオケ楽曲の演奏及び歌詞テロップの表示を継続させたまま、利用者が指示した任意のタイミングで、カラオケ楽曲の演奏に伴い表示されている背景映像を静止表示させることができる。すなわち、背景映像を静止表示させても、カラオケ楽曲の演奏は進行し、また背景映像にスーパーインポーズされている歌詞テロップの表示も進行するため、歌唱者はカラオケ本来の目的である歌唱を楽しむことができると共に、他の利用者も含めて好みの背景画像を楽しむことができる。
【００１７】
また、静止表示指示タイミングと基準静止表示タイミングとの差違を評価し、評価結果を出力することにより、利用者に評価結果を報知することができる。これにより、利用者が静止表示を指示したタイミングを、その利用者が画像を撮影するシャッタータイミングとみなし、撮影センスを競うというゲームを楽しむことができる。
【００１８】
また基準静止表示タイミング更新手段を備えた場合には、利用者が静止表示を指示したタイミングが基準静止表示タイミングに反映されるため、利用者の平均的な嗜好を反映した基準静止表示タイミングを設定することができる。
【図面の簡単な説明】
【００１９】
【図１】本発明のカラオケ背景映像の静止表示指示タイミング評価システムを適用したカラオケ演奏装置の構成を示すブロック図。
【図２】本発明のカラオケ背景映像の静止表示指示タイミング評価システムにおける基準静止表示タイミングの一例を示す説明図。
【図３】本発明のカラオケ背景映像の静止表示指示タイミング評価システムにおける静止表示指示タイミング評価値の一例を示す説明図。
【図４】本発明のカラオケ背景映像の静止表示指示タイミング評価システムにおける静止表示指示タイミングデータベースの一例を示す説明図。
【図５】本発明のカラオケ背景映像の静止表示指示タイミング評価システムにおける基準静止表示タイミングの更新例を示す説明図。
【図６】本発明のカラオケ背景映像の静止表示指示タイミング評価システムにおける評価結果の表示例を示す説明図。
【発明を実施するための形態】
【００２０】
以下、図面を参照して、本発明のカラオケ背景映像の静止表示指示タイミング評価システム（以下、静止表示指示タイミング評価システムと略記する）の実施形態について説明する。図１〜図６は本発明の実施形態に係る静止表示指示タイミング評価システムを示すもので、図１は静止表示指示タイミング評価システムを適用したカラオケ演奏装置の構成を示すブロック図、図２は基準静止表示タイミングの一例を示す説明図、図３は静止表示指示タイミング評価値の一例を示す説明図、図４は静止表示指示タイミングデータベースの一例を示す説明図、図５は基準静止表示タイミングの更新例を示す説明図、図６は評価結果の表示例を示す説明図である。
【００２１】
＜静止表示指示タイミング評価システムの概要＞
本発明の実施形態に係る静止表示指示タイミング評価システムは、カラオケ楽曲の演奏及び歌詞テロップの表示を継続させながら、当該カラオケ楽曲の演奏に伴い表示される背景映像を、利用者の指示に応じて任意のタイミングで静止表示可能とし、当該静止表示指示タイミングを評価するためのシステムであって、カラオケ演奏装置１０に組み込まれて使用される。本実施形態の静止表示指示タイミング評価システムを構成する機能手段は、図１に示すように、背景映像静止表示手段２９と、基準静止表示タイミングデータベース２４ｃと、静止表示指示タイミング評価手段３０と、評価結果出力手段３1とからなる。
【００２２】
また、これらの手段に加えて、静止表示指示タイミング記憶手段３２と、静止表示指示タイミング統計手段３３と、基準静止表示タイミング更新手段３４を備えることが可能である。この静止表示指示タイミング評価システムは、カラオケ演奏装置１０に組み込まれることにより、カカラオケ楽曲の演奏及び歌詞テロップの表示を継続させながら、背景映像を静止表示させることができると共に、利用者が背景映像の静止表示を指示したタイミングについてそのセンス評価を行うことができる。なお、以下に説明する実施形態では、各手段はカラオケ本体１１またはカラオケリモコン装置１２の機能手段として構成している。
【００２３】
また、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２４】
＜カラオケ演奏装置＞
本発明の実施形態に係る静止表示指示タイミング評価システムを適用するカラオケ演奏装置１０は、図１に示すように、カラオケ本体１１、カラオケリモコン装置１２、スピーカ１３、マイクロホン１４、表示装置１５、ミキシングアンプ１６を備えている。
【００２５】
＜カラオケリモコン装置＞
カラオケリモコン装置１２は、図１に示すように、カラオケ本体１１の送受信手段２５との間で有線方式又は無線方式によりデータの送受信を行うようになっている。このカラオケリモコン装置１２は、楽曲検索手段１２ａとして機能するプログラム、楽曲索引データベース１２ｂ、ユーザインタフェース機能を有する入出力表示部１２ｃ、静止映像表示指示手段１２ｄとして機能するプログラム、カラオケ本体１１との間でデータの送受信を行うためのプログラム及び電子機器（図示せず）を備えている。このカラオケリモコン装置１２に付帯するスイッチ類や、入出力表示部１２ｃに表示される各種のアイコン等を操作することにより、背景映像の静止表示操作、選曲操作等が行われる。
【００２６】
＜楽曲検索手段／楽曲索引データベース＞
楽曲検索手段１２ａは、利用者の指示に基づき、楽曲索引データベース１２ｂを参照して楽曲を検索するためのプログラムからなる。楽曲索引データベース１２ｂは、カラオケ演奏装置１０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲など、種々の属性情報がこれに含まれている。楽曲検索手段１２ａにより楽曲検索を行うと、例えば、カラオケリモコン装置１２の入出力表示部１２ｃに、検索結果が一覧表示される。
【００２７】
＜入出力表示部＞
入出力表示部１２ｃは、例えば、タッチセンサを備えた液晶表示装置を備えており、表示画面に種々のアイコン表示等が行われ、アイコン表示等をタッチペンによりタッチすることにより、楽曲の検索、選曲予約、音程キーの変更、ログイン認証、背景映像の静止表示指示等、種々の操作を行うことができる。
【００２８】
＜静止映像表示指示手段＞
静止映像表示指示手段１２ｄは、現在演奏中のカラオケ楽曲と共に表示されている背景映像について、その静止表示を指示するためのプログラムからなる。この静止映像表示指示手段１２ｄは、利用者が入出力表示部１２ｃに表示される背景映像の静止指示ボタン等のアイコンを操作すると、当該時点における背景映像の静止表示信号をカラオケ本体１１に送信する。そして、カラオケ本体１１では、後に詳述するように、背景映像静止表示手段２９の機能により背景映像を静止表示させる。
【００２９】
＜マイクロホン＞
マイクロホン１４は、歌唱音声の入力を行うための装置である。マイクロホン１４から入力された歌唱音声信号は、ミキシングアンプ１６により、音楽再生制御手段から送出される演奏音声信号とミキシングされると共に増幅され、スピーカ１３へ出力される。また、マイクロホン１４からの音声入力信号をＡ／Ｄコンバータ（図示せず）によりデジタル変換し、歌唱採点等に使用してもよい。
【００３０】
＜表示装置＞
表示装置１５は、カラオケ楽曲に関連した背景映像や歌詞テロップ等を表示するための装置で、例えば、液晶ディスプレイ等により構成される。本実施形態では、表示装置１５の表示画面に、背景映像の静止表示指示タイミング評価値を表示するようになっている。
【００３１】
＜カラオケ本体＞
カラオケ本体１１は、中央制御手段２１、ＲＯＭ２２、ＲＡＭ２３、ＨＤＤ２４、送受信手段２５、予約管理手段２６、音楽再生制御手段２７、映像再生制御手段２８、背景映像静止表示手段２９、静止表示指示タイミング評価手段３０、評価結果出力手段３1を備えている。さらに、本実施形態では、静止表示指示タイミング記憶手段３２、静止表示指示タイミング統計手段３３、基準静止表示タイミング更新手段３４を備えることが可能である。
【００３２】
＜中央制御手段＞
中央制御手段２１は、カラオケ本体１１を総合的に制御するための手段であり、例えばＣＰＵ及びその周辺機器により構成されており、ＣＰＵ等がＲＯＭ２２等に記憶されたプログラムに従って動作することにより、制御機能を発揮することができるようになっている。
【００３３】
＜ＲＯＭ／ＲＡＭ＞
ＲＯＭ２２は、カラオケ本体１１を構成する各機器を制御するためのプログラムデータや数値データを記憶するための機器で、例えば半導体メモリ等で構成される。また、ＲＡＭ２３は、プログラムや各種データを一時的に記憶する一時記憶領域として機能するもので、例えば半導体メモリ等で構成される。なお、物理的な半導体メモリによりＲＡＭ２３を構成するのではなく、ハードディスク記憶装置等を用いて仮想的なＲＡＭ２３を構成してもよい。本実施形態では、ＲＡＭ２３に、予約待ち行列２３ａが記憶されるようになっている。なお、予約待ち行列２３ａは、選曲予約されたカラオケ楽曲について、演奏順に楽曲ＩＤを並べて構成されたデータテーブルであり、選曲者の利用者ＩＤ等の識別データが紐付けられている場合もある。
【００３４】
＜ＨＤＤ＞
ＨＤＤ２４は、大容量記憶装置として機能する装置で、楽曲データベース２４ａ、映像データベース２４ｂ、基準静止表示タイミングデータベース２４ｃ、静止表示指示タイミングデータベース２４ｄが格納されている。なお、ＨＤＤ２４に替えて、あるいはＨＤＤ２４と共に、データを書き替え可能なＤＶＤ等の大容量記憶装置を用いてもよい。
【００３５】
＜楽曲データベース／映像データベース＞
楽曲データベース２４ａは、演奏制御データ（ＭＩＤＩ規格データ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース２４ｂは、演奏されるカラオケ楽曲に対応した背景映像を、当該カラオケ楽曲の楽曲ＩＤに対応させた映像ファイルとして所定数格納したデータである。
【００３６】
＜基準静止表示タイミングデータベース＞
基準静止表示タイミングデータベース２４ｃは、背景映像毎に、その基準静止表示タイミングを格納したデータベースである。各背景映像の基準静止表示タイミングは、例えば、図２に示すように、背景映像の基準静止表示タイミングを時系列的に表現したデータからなる。この基準静止表示タイミングに基づいて、静止表示指示タイミング評価手段３０における評価値の算出が行われる。
【００３７】
また、本実施形態では、基準静止表示タイミング更新手段３４の機能により、利用者の指示に応じた背景映像の静止表示指示タイミングの統計値に基づいて、基準静止表示タイミングを更新することができる。
【００３８】
＜静止表示指示タイミングデータベース＞
静止表示指示タイミングデータベース２４ｄは、静止表示指示タイミング記憶手段３２の機能により生成されるデータベースであり、図４に示すように、カラオケ楽曲が演奏される毎に、指示された静止表示指示タイミングの時系列的な位置データを背景映像に対応させて記憶したデータベースである。
【００３９】
＜送受信手段＞
送受信手段２５は、カラオケ本体１１とカラオケリモコン装置１２との間で、データの送受信を行うための電子回路及びプログラムからなる。本実施形態では、赤外線通信により、カラオケ本体１１とカラオケリモコン装置１２との間でデータの送受信が行われる。
【００４０】
＜予約管理手段＞
予約管理手段２６は、利用者により楽曲検索手段１２ａの機能を用いて選曲された楽曲ＩＤを演奏順に並べて予約待ち行列２３ａを生成し、この予約待ち行列２３ａをＲＡＭ２３に格納して管理するためのプログラムからなる。
【００４１】
＜音楽再生制御手段＞
音楽再生制御手段２７は、楽曲ＩＤに基づいて楽曲データベース２４ａから抽出された演奏制御データに基づいて、音源データをデジタル再生すると共にアナログ変換してミキシングアンプ１６に出力するための電子回路である。上述したように、ミキシングアンプ１６は、マイクロホン１４から入力された歌唱者の歌唱音声信号と、音楽再生制御手段２７から送出される演奏音声信号とをミキシングすると共に、アンプ機能により増幅してスピーカ１３より出力させるための装置である。
【００４２】
＜映像再生制御手段＞
映像再生制御手段２８は、カラオケ楽曲の演奏中に、映像データベース２４ｂから抽出した背景映像データと、楽曲データベース２４ａに含まれる歌詞描出データ（歌詞テロップデータ）とを、当該カラオケ楽曲の演奏データに同期させて表示装置１５に出力するためのプログラムからなる。
【００４３】
＜背景映像静止表示手段＞
背景映像静止表示手段２９は、利用者の指示に応じた静止表示指示タイミングで、表示中の背景映像を静止表示させるためのプログラムからなる。背景映像の静止表示は、利用者が静止映像表示指示手段１２ｄの機能により背景映像の一時停止を指示した場合に実施される制御であり、表示装置１５の表示画面に静止表示指示タイミングにおける背景映像を静止表示する。
【００４４】
なお、背景映像データは連続した映像データであり、背景映像の静止表示が解除された場合には、当該解除された時点におけるカラオケ楽曲の演奏に合致したタイミングで背景映像の表示が再開される。例えば、背景映像が１０秒間静止表示され、１０秒経過後に背景映像の表示が再開される場合には、静止表示開始から１０秒経過後のカラオケ演奏に合わせた背景映像が表示される。すなわち、背景映像の静止表示を解除すると、静止表示時点から背景映像の表示が再開されるのではなく、静止表示時間経過後の時点における背景映像にジャンプして背景映像の表示が再開される。
【００４５】
＜基準静止表示タイミングデータベース＞
基準静止表示タイミングデータベース２４ｃは、背景映像毎にその基準静止表示タイミングを記憶するためのプログラムからなる。こ基準静止表示タイミングデータベース２４ｃの機能により基準静止表示タイミングデータベース２４ｃが生成され、ＨＤＤ２４に格納される。
【００４６】
＜静止表示指示タイミング評価手段＞
静止表示指示タイミング評価手段３０は、静止表示指示タイミングと、現に演奏されているカラオケ楽曲に対応した背景映像の基準静止表示タイミングとの差違に基づく評価値を算出するためのプログラムからなる。上述したように、基準静止表示タイミングは、基準静止表示タイミングデータベース２４ｃに格納されている。
【００４７】
静止表示指示タイミング評価手段３０では、例えば、図３に示すように、静止表示指示タイミングが基準静止表示タイミングに対して前後１秒以内ならば１０点、前後１秒以上２秒以内ならば５点、前後２秒以上３秒以内ならば１点、３秒以上の時間であれば０点のように評価値を算出する。
【００４８】
＜評価結果出力手段＞
評価結果出力手段３1は、利用者に対して評価値を提示するためのプログラムからなる。例えば、図６に示すように、評価値が１０点であれば「Ｅｘｃｅｌｌｅｎｔ！」の文字、評価点が５点であれば「Ｇｏｏｄ」の文字、評価点が１点であれば「Ｓｏ−Ｓｏ」、評価知が０点であれば「Ｂａｄ！」のような文字が、表示手段の表示画面に表示される。
【００４９】
＜静止表示指示タイミング記憶手段＞
静止表示指示タイミング記憶手段３２は、カラオケ楽曲が演奏される毎に、指示された静止表示指示タイミング（時系列的な位置データ）を背景映像に対応させて記憶するためのプログラムからなる。この静止表示指示タイミング記憶手段３２の機能により静止表示指示タイミングデータベース２４ｄが生成され、ＨＤＤ２４に格納される。
【００５０】
＜静止表示指示タイミング統計手段＞
静止表示指示タイミング統計手段３３は、記憶した静止表示指示タイミングの統計値を背景映像毎に算出するためのプログラムからなる。すなわち、静止表示指示タイミング統計手段３３は、静止表示指示タイミングデータベース２４ｄを参照して、背景映像毎に静止表示指示タイミングの統計値を算出する。
【００５１】
なお、静止表示指示タイミングの統計値を算出する場合に、背景映像の表示回数（カラオケ楽曲の演奏回数）の基準値を設け、所定回数以上背景映像が表示された場合（カラオケ楽曲が演奏された場合）に、統計値を算出するようにしてもよい。このように、統計値を算出するための閾値を設けることにより、利用者の平均的な嗜好に基づく統計値を算出することができる。
【００５２】
＜基準静止表示タイミング更新手段＞
基準静止表示タイミング更新手段３４は、静止表示指示タイミング統計手段３３の機能により算出された統計値に応じて、背景映像毎に基準静止表示タイミングを更新するためのプログラムからなる。すなわち、基準静止表示タイミング更新手段３４では、利用者の平均的な嗜好に基づく統計値を用いて、基準静止表示タイミングを書き換える。
【００５３】
例えば、図５に示すように、基準静止表示タイミングデータベース２４ｃに格納されている基準静止表示タイミングにおいて、静止表示指示タイミングとして設定されているタイミングからずれて、利用者により静止表示指示タイミングとして指定された回数が所定回数（例えば３回）以上であれば、当該静止表示指示タイミングの統計値（平均値）を基準静止表示タイミングとして、基準静止表示タイミングを書き換える。
【００５４】
同様に、所定回数（例えば３回）以上の演奏で、基準静止表示タイミングデータベース２４ｃに格納されている基準静止表示タイミングにおいて設定されていない静止表示指示タイミングが、利用者により静止表示指示タイミングとして指定された場合には、当該静止表示指示タイミングを新たな基準静止表示タイミングとして、基準静止表示タイミングを書き換えてもよい。
【００５５】
また、所定回数（例えば３回）以上の演奏で、基準静止表示タイミングデータベース２４ｃに格納されている基準静止表示タイミングにおいて設定されているタイミングが、利用者により静止表示指示タイミングとして一度も指定されない場合には、当該タイミングを基準静止表示タイミングではないものとして削除し、基準静止表示タイミングを書き換えてもよい。
【００５６】
＜他の実施形態＞
本発明の静止表示指示タイミング評価システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ演奏装置１０を単体で動作させるのではなく、ホスト装置にネットワーク接続したカラオケ演奏装置１０として動作させてもよい。
【００５７】
このように、カラオケ演奏装置１０をカラオケ演奏端末としてネットワーク接続し、ホスト装置により管理することにより、ネットワークに接続されたすべてのカラオケ演奏端末における静止表示指示タイミングデータの統計値を求めて、これを各カラオケ演奏端末に配信することにより、より一層的確に、利用者の平均的な嗜好に基づく統計値を得ることができる。
【符号の説明】
【００５８】
１０  カラオケ演奏装置
１１  カラオケ本体
１２  カラオケリモコン装置
１２ａ  楽曲検索手段
１２ｂ  楽曲索引データベース
１２ｃ  入出力表示部
１２ｄ  静止映像表示指示手段
１３  スピーカ
１４  マイクロホン
１５  表示装置
１６  ミキシングアンプ
２１  中央制御手段
２２  ＲＯＭ
２３  ＲＡＭ
２３ａ  予約待ち行列
２４  ＨＤＤ
２４ａ  楽曲データベース
２４ｂ  映像データベース
２４ｃ  基準静止表示タイミングデータベース
２４ｄ  静止表示指示タイミングデータベース
２５  送受信手段
２６  予約管理手段
２７  音楽再生制御手段
２８  映像再生制御手段
２９  背景映像静止表示手段
３０  静止表示指示タイミング評価手段
３１  評価結果出力手段
３２  静止表示指示タイミング記憶手段
３３  静止表示指示タイミング統計手段
３４  基準静止表示タイミング更新手段
【図１】
0005749217.tif 000002
【図２】
0005749217.tif 000003
【図３】
0005749217.tif 000004
【図４】
0005749217.tif 000005
【図５】
0005749217.tif 000006
【図６】
0005749217.tif 000007